【手続補正書】
【提出日】平成25年6月14日(2013.6.14)
【手続補正１】
【補正対象書類名】特許請求の範囲
【補正対象項目名】全文
【補正方法】変更
【補正の内容】
【特許請求の範囲】
【請求項１】
ユーザー機器とユニバーサル移動電気通信システムの無線アクセスネットワークの無線ネットワークコントローラーとの間の通信を取り扱う方法であって、
前記無線ネットワークコントローラーによって、前記ユーザー機器をターゲット搬送波周波数にリダイレクトするための送信命令を与えるステップであって、該ターゲット搬送波周波数はローカルアクセス無線ネットワークの許可された周波数である、与えるステップと、
前記ターゲット搬送波周波数が、少なくとも前記ユーザー機器付近の前記ローカルアクセス無線ネットワークによって干渉を受けるか否かを評価するステップと、
前記ユーザー機器付近の前記ローカルアクセスネットワークによって前記ターゲット搬送波周波数が干渉を受ける場合には、一期間の間、前記無線ネットワークコントローラーによって前記ターゲット搬送波周波数への前記ユーザー機器のリダイレクトを防ぐステップと
を含み、
前記送信命令を与える前記ステップは、前記ユーザー機器から前記無線ネットワークコントローラーに送信される第１の接続要求によって生じ、前記ユーザー機器付近の前記ローカルアクセス無線ネットワークによって前記タ−ゲット搬送波周波数が干渉を受けるか否かを評価する前記ステップは、前記ユーザー機器を前記ターゲット搬送波周波数にリダイレクトするための送信命令を前記ユーザー機器に送信した後、前記ユーザー機器の第２の接続要求が前記無線ネットワークコントローラーに受信されたか否かを検出するステップを含み、前記第２の接続要求が前記第１の接続要求と実質的に等しい、
方法。
【請求項２】
前記送信命令は前記ユーザー機器のための無線ベアラ再構成メッセージを含み、前記ターゲット搬送波周波数が前記ユーザー機器付近の前記ローカルアクセス無線ネットワークによって干渉を受けるか否かを評価する前記ステップは、１つ又は複数の失敗した無線ベアラ再構成メッセージが、前記ユーザー機器を前記ターゲット搬送波周波数にリダイレクトするために前記ユーザー機器に後に送信されたか否かを検出するステップを含む、請求項１に記載の方法。
【請求項３】
前記ターゲット搬送波周波数が前記ユーザー機器付近の前記ローカルアクセス無線ネットワークによって干渉を受けるか否かを評価する前記ステップは、前記ユーザー機器が、非干渉搬送波周波数から前記ターゲット搬送波周波数へ及び前記ターゲット搬送波周波数から前記非干渉周波数へのピンポン周波数間ハンドオーバーを複数回実行したか否かを検出するステップを含む、請求項１に記載の方法。
【請求項４】
前記ターゲット搬送波周波数、及び前記ローカルアクセス無線ネットワークのスクランブルコードに関する、前記ユーザー機器によって実行される周波数間測定を開始するステップと、
前記ユーザー機器の前記周波数間測定における信号強度及び信号品質のうちの少なくとも一方を評価するステップと
を含む、請求項１に記載の方法。
【請求項５】
前記ターゲット搬送波周波数が前記ユーザー機器付近の前記ローカルアクセス無線ネットワークによって干渉を受けるか否かを評価する前記ステップは、前記ユーザー機器が、前記ローカルアクセス無線ネットワークの前記サービスエリア内に、又はその付近に位置するか否かを評価するステップを含む、請求項１に記載の方法。
【請求項６】
前記期間の長さは、前記ユーザー機器が、前記ローカルアクセス無線ネットワークの前記サービスエリア内に、又はその付近に位置するか否かによって決まる、請求項１に記載の方法。
【請求項７】
前記ターゲット搬送波周波数への前記ユーザー機器のリダイレクトをヒステリシス時間だけ防ぐ、請求項１に記載の方法。
【請求項８】
前記ヒステリシス時間は一定の値であるか、又は所定のパラメータによって決まり、該所定のパラメータは、名目ヒステリシス時間、前記ユーザー機器の最近の移動履歴、前記ターゲット搬送波周波数に関する信号強度及び品質、並びに前記ローカルアクセス無線ネットワークのスクランブルコードのうちの少なくとも１つを含む、請求項７に記載の方法。
【請求項９】
コンピューター実行可能命令が格納されている無線ネットワークコントローラーの非一時的な有形のコンピュータ可読媒体であって、前記コンピューター実行可能命令は、実行されるときに、ユーザー機器とユニバーサル移動電気通信システムの無線アクセスネットワークの無線ネットワークコントローラーとの間の通信を取り扱う方法を前記無線ネットワークコントローラーに実行させ、
前記方法は、
無線ネットワークコントローラーにより、ユーザー機器をターゲット搬送波周波数にリダイレクトするための送信命令を与え、前記ターゲット搬送波周波数は、ローカルアクセス無線ネットワークの許可される周波数である、送信命令を与えるステップと、
前記ターゲット搬送波周波数が前記ユーザー機器付近の前記ローカルアクセス無線ネットワークによって干渉を受けるか否かを評価するステップと、
前記ユーザー機器付近の前記ローカルアクセスネットワークによって前記ターゲット搬送波周波数が干渉を受ける場合には、一期間の間、前記無線ネットワークコントローラーによって前記ターゲット搬送波周波数への前記ユーザー機器のリダイレクトを防ぐステップと
を備え、
前記送信命令を与える前記ステップは、前記ユーザー機器から前記無線ネットワークコントローラーに送信される第１の接続要求によって生じ、前記ユーザー機器付近のローカルアクセス無線ネットワークによって前記ターゲット搬送波周波数が干渉を受けるか否かを評価する前記ステップは、前記ユーザー機器を前記ターゲット搬送波周波数にリダイレクトするための送信命令を前記ユーザー機器に送信した後に、前記ユーザー機器の第２の接続要求が前記無線ネットワークコントローラーにより受信されたか否かを検出するステップを含み、前記第２の接続要求は前記第１の接続要求に実質的に等しい、
非一時的な有形のコンピューター可読媒体。
【請求項１０】
前記送信命令が無線ベアラ再構成メッセージを含み、前記ターゲット搬送波周波数が前記ユーザ機器付近のローカルアクセス無線ネットワークによって干渉を受けるか否かを評価する前記ステップは、１つ又は複数の失敗した無線ベアラ再構成メッセージが、前記ユーザー機器を前記ターゲット搬送波周波数にリダイレクトするために前記ユーザー機器に後から送信されたか否かを検出するステップを含む、請求項９に記載の非一時的な有形のコンピューター可読媒体。
【請求項１１】
前記ターゲット搬送波周波数がローカルアクセス無線ネットワークによって干渉を受けるか否かを評価する前記ステップは、前記ユーザー機器が、非干渉搬送波周波数から前記ターゲット搬送波周波数へ及び前記ターゲット搬送波周波数から前記非干渉周波数へのピンポン周波数間ハンドオーバーを複数回実行したか否かを検出するステップを含む、請求項９に記載の非一時的な有形のコンピューター可読媒体。
【請求項１２】
前記コンピューター実行可能命令は、実行されるときに、前記無線ネットワークコントローラーに、
前記ターゲット搬送波周波数、及び前記ローカルアクセス無線ネットワークのスクランブルコードに関する、前記ユーザー機器の周波数間測定を開始するステップと、
前記ユーザー機器の前記周波数間測定における信号強度及び信号品質のうちの少なくとも一方を評価するステップと
を更に実行させる、請求項９に記載の非一時的な有形のコンピューター可読媒体。
【請求項１３】
前記非一時的な有形のコンピューター可読媒体は、コンピュータープログラム製品の一部である、請求項９に記載の非一時的な有形のコンピューター可読媒体。